(57)【要約】【課題】  より明瞭で広がりのある良質な楽音が得られるとともに、アコースティックなグランドピアノにより近い良好な演奏感覚を得ることができる電子鍵盤楽器を提供する。【解決手段】  アップライト型の本体ケース２と、主面２３ａ、３３ａが外部に露出するように本体ケース２に設けられた響板２３、３３と、響板２３、３３に設けられ、押鍵に伴って響板２３、３３を振動させることにより、楽音を発生させる振動子２５、３５と、を備えている。【選択図】  図２
2008241760.tif 000002
【特許請求の範囲】
【請求項１】
アップライト型の本体ケースと、
主面が外部に露出するように前記本体ケースに設けられた響板と、
当該響板に設けられ、押鍵に伴って前記響板を振動させることにより、楽音を発生させる振動子と、
を備えていることを特徴とする電子鍵盤楽器。
【請求項２】
前記響板は、前記主面が前記本体ケースの前方に露出するように配置されていることを特徴とする請求項１に記載の電子鍵盤楽器。
【請求項３】
棚板を底部に有するグランド型の本体ケースと、
当該本体ケースの前記棚板以外の部位に、主面が外部に露出するように設けられた響板と、
当該響板に設けられ、押鍵に伴って前記響板を振動させることにより、楽音を発生させる振動子と、
を備えていることを特徴とする電子鍵盤楽器。
【請求項４】
前記本体ケースには、当該本体ケースを閉じる大屋根が設けられ、
前記響板は、前記大屋根の少なくとも一部を構成するように設けられていることを特徴とする請求項３に記載の電子鍵盤楽器。
【発明の詳細な説明】
【技術分野】
【０００１】
本発明は、楽音を再生するスピーカを備えた電子ピアノなどの電子鍵盤楽器に関する。
【背景技術】
【０００２】
従来の電子鍵盤楽器として、例えば特許文献１に開示されたものが知られている。この電子鍵盤楽器は、弦の振動により発生するピアノ音によるアコースティック演奏と、電子音による電子演奏とに切替え可能に構成されたアップライトピアノである。このアップライトピアノは、上前板、下前板および左右の親板などによって構成された箱形の本体ケースを有しており、本体ケース内には、アクション、フレームおよび響板や、電子演奏の際に電子音を再生するためのスピーカなどが収容されている。
【０００３】
スピーカは、上前板および下前板のそれぞれに２つずつ設けられており、コーンスピーカで構成され、放音面が前方に向いた状態で、上前板および下前板に形成された丸孔に取り付けられている。電子演奏の際には、これらのスピーカで再生された電子音が、その放音面から前方の演奏者に向かって放音される。
【０００４】
また、アコースティック演奏の際には、押鍵に伴い、ハンマーが上下方向に張られた弦を前方から打弦し、その振動が、弦の後方に配置された響板で空気振動に変換されることにより、ピアノ音が発生する。発生したピアノ音は、本体ケースの上前板や下前板を通過した後、演奏者に到達する。
【０００５】
以上のように、このアップライトピアノでは、アコースティック演奏の際には、演奏者から比較的遠い響板で発生したピアノ音が、上前板や下前板を介して間接的に演奏者に到達するため、演奏者に実際に聞き取られる楽音（以下「演奏音」という）が不明瞭になりやすい。これに対し、グランドピアノでは、大屋根を開放した状態において、響板で発生したピアノ音が、演奏者に直接、到達するため、より明瞭な演奏音が得られる。また、アップライトピアノとグランドピアノの間では、このような演奏音の明瞭さの相違により、鍵のタッチ感と演奏音との関係が異なるため、演奏感覚が異なってしまう。
【０００６】
また、アップライトピアノは一般に、その背面を部屋の壁に向けた状態で、壁の付近に設置される。このため、背面の付近に配置された響板で発生したピアノ音が、壁を伝わって外部に漏れてしまい、騒音の原因になりやすい。
【０００７】
一方、このアップライトピアノにおいて、電子演奏を行う場合、前述したように、上前板および下前板に設けられたスピーカから楽音が放音される。このため、響板全体が振動するアコースティック演奏の場合と比較して、振動面積が非常に小さいため、音の広がりに欠け、ピアノらしい演奏音を得られない。
【０００８】
本発明は、上記のような課題を解決するためになされたものであり、より明瞭で広がりのある良質な楽音と、アコースティックなグランドピアノにより近い良好な演奏感覚を得ることができる電子鍵盤楽器を提供することを目的としている。
【０００９】
【特許文献１】実開平７−２３３９４号公報
【発明の開示】
【課題を解決するための手段】
【００１０】
上記の目的を達成するために、請求項１による電子鍵盤楽器は、アップライト型の本体ケースと、主面が外部に露出するように本体ケースに設けられた響板と、響板に設けられ、押鍵に伴って響板を振動させることにより、楽音を発生させる振動子と、を備えていることを特徴とする。
【００１１】
この電子鍵盤楽器によれば、アップライト型の本体ケースには響板が設けられており、この響板の主面は本体ケースの外部に露出している。押鍵に伴い、響板は、これに設けられた振動子によって振動し、それにより発生した楽音は、響板の主面から放音され、演奏者に直接、到達する。
【００１２】
このように、響板から放音された楽音が、本体ケースなどを介さずに、演奏者に直接、到達するので、より明瞭な演奏音が得られるとともに、それにより、鍵のタッチ感と演奏音との関係を、アコースティックなグランドピアノに近づけることができ、グランドピアノにより近い良好な演奏感覚を得ることができる。
【００１３】
また、振動子により、響板を振動させ、その全体から楽音を発生させるので、従来のようなコーンスピーカを用いる場合と比較して、アコースティックピアノにより近似した広がりのある良質な楽音を発生させることができ、それにより、グランドピアノにさらに近い演奏感覚を得ることができる。
【００１４】
請求項２に係る発明は、請求項１に記載の電子鍵盤楽器において、響板は、主面が本体ケースの前方に露出するように配置されていることを特徴とする。
【００１５】
この構成によれば、響板の主面が本体ケースの前方に露出し、演奏者側に向けられているので、より明瞭な演奏音を得ることができる。その結果、鍵のタッチ感と演奏音との関係を、グランドピアノにさらに近づけることができ、より良好な演奏感覚を得ることができる。また、同じ理由により、電子鍵盤楽器を壁面付近に設置しても、楽音が外部に漏れ難くなり、騒音を抑制することができる。
【００１６】
請求項３に係る発明は、棚板を底部に有するグランド型の本体ケースと、本体ケースの棚板以外の部位に、主面が外部に露出するように設けられた響板と、響板に設けられ、押鍵に伴って響板を振動させることにより、楽音を発生させる振動子と、を備えていることを特徴とする。
【００１７】
この電子鍵盤楽器によれば、グランド型の本体ケースには、その底部に設けられた棚板以外の部位に、響板が設けられており、この響板の主面は本体ケースの外部に露出している。押鍵に伴い、響板は、これに設けられた振動子によって振動し、それにより発生した楽音は、響板の主面から放音され、演奏者に直接、到達する。
【００１８】
このように、響板から放音された楽音が、本体ケースなどを介さずに演奏者に直接、到達するので、鍵のタッチ感と演奏音との関係を、アコースティックなグランドピアノに近づけることができ、良好な演奏感覚を得ることができる。また、振動子により、響板を振動させ、その全体から楽音を発生させるので、アコースティックなグランドピアノにより近似した楽音を発生させることができ、より良好な演奏感覚を得ることができる。
【００１９】
請求項４に係る発明は、請求項３に記載の電子鍵盤楽器において、本体ケースには、本体ケースを閉じる大屋根が設けられ、響板は、大屋根の少なくとも一部を構成するように設けられていることを特徴とする。
【００２０】
この構成によれば、本体ケースには、これを閉じる大屋根が設けられており、この大屋根の少なくとも一部が響板で構成されている。このように、演奏者と響板との位置関係がアコースティックなグランドピアノとほぼ同じになるように、響板が配置されているので、鍵のタッチ感と演奏音との関係を、グランドピアノにさらに近づけることができ、さらに良好な演奏感覚を得ることができる。
【発明を実施するための最良の形態】
【００２１】
以下、本発明の好ましい実施形態を、図面を参照しながら詳細に説明する。図１および図２は、本発明の第１実施形態によるアップライト型の電子ピアノを示している。この電子ピアノ１は、本体ケース２、本体ケース２に設けられたピアノ本体１１、および２つの響板スピーカ２１、３１などを備えている。なお、以下の説明では、演奏者側から見たときのピアノの手前側を「前」、奥側を「後」として説明する。
【００２２】
本体ケース２は、上下方向に延びる左右の親板４、４と、これらの上端間および後端部間にそれぞれ取り付けられた屋根板７、および上下の背板６、６などによって、箱型に形成されている。親板４、４の下端部には、これらを連結するペダル土台５が設けられており、このペダル土台５には、３つのペダル５ａが設けられている。
【００２３】
ピアノ本体１１は、本体ケース２の上下方向の中央に設けられている。ピアノ本体１１は、各親板４から前方に突出する腕木１２と、左右の腕木１２、１２の上端部間および下端部間にそれぞれ設けられた天板１３および棚板１４と、棚板１４上に載置された鍵盤装置１５などを有している。また、ピアノ本体１１は、アンプなどの音響回路や回路基板など（いずれも図示せず）を有している。
【００２４】
鍵盤装置１５は、左右方向に並んだ多数の鍵１６と、棚板１４に載置され、鍵１６を支持するシャーシ１７と、このシャーシ１７の後端部に回動自在に支持された多数のハンマー１８（１つのみ図示）などを備えている。鍵１６は、木質材から成り、アコースティックなアップライトピアノの鍵とほぼ同様に構成されており、その前後方向の中央において、シャーシ１７に回動自在に支持されている。また、ハンマー１８は、その後端部においてシャーシ１７に回動自在に支持されるとともに、対応する鍵１６の後端部に載置されている。
【００２５】
鍵１６は押鍵に伴って回動し、ハンマー１８が回動した鍵１６で突き上げられ、上方に回動することによって、鍵スイッチ（図示せず）を押圧する。そして、鍵スイッチで検出された押鍵情報に応じ、上述した音響回路などによって生成された信号が、後述する響板スピーカ２１、３１によって楽音として再生され、放音される。
【００２６】
また、鍵１６の上方には、左右の腕木１２、１２間の全体にわたって操作パネル１９が設けられている。この操作パネル１９には、音色、ボリュームおよび各種の音響効果などを設定するための複数の操作ボタンや操作レバーと、設定された音響効果などを表示する表示器などが設けられている。
【００２７】
響板スピーカ２１、３１は、ピアノ本体１１の上方および下方にそれぞれ配置されている。上側の響板スピーカ２１は、屋根板７、天板１３および左右の親板４，４によって囲まれた空間の前端部に配置されている。この響板スピーカ２１は、打ち廻し２２に取り付けられた響板２３と、響板２３に取り付けられた１つのアクチュエータ２５（振動子）などを有している。打ち廻し２２は、硬い木質材で構成され、上記の空間の外周の全体に沿って延びるとともに、親板４、４などに固定されている。
【００２８】
響板２３は、例えばスプルスなどから成る複数のむくの板材を継ぎ合わせたもので構成され、その周縁部が打ち廻し２２の背面に貼り付けられており、前面２３ａ（主面）の全体が本体ケース２の前方に向かって露出している。また、響板２３の前面２３ａには複数の響棒２４が貼り付けられている。これらの響棒２４は、アクチュエータ２５の振動が、響板２３の全体に伝達される速度を向上させるためのものであり、互いに平行に斜めに延びている。
【００２９】
また、アクチュエータ２５は、響板２３の背面２３ｂの所定位置に取り付けられている。このアクチュエータ２５は、例えば電磁式のものであり、押鍵に伴い、前述した音響回路などで生成された信号が入力されることによって駆動され、その信号に応じて響板２３を振動させる。
【００３０】
下側の響板スピーカ３１は、棚板１４、ペダル土台５および左右の親板４、４で囲まれた空間の前端部に配置されている。この響板スピーカ３１は、上述した上側の響板スピーカ２１と同様に構成されており、打ち廻し３２の背面に貼り付けられ、前面３３ａ（主面）が前方に露出した響板３３と、響板３３の前面３３ａに貼り付けられた複数の響棒３４と、響板３３の背面３３ｂの所定位置に取り付けられたアクチュエータ３５（振動子）を有している。
【００３１】
以上の構成によれば、押鍵に伴い、検出された押鍵情報に応じて生成された信号が、響板スピーカ２１、３１のアクチュエータ２５、３５に入力される。それにより、響板２３、３３はともに振動し、響板２３、３３の前面２３ａ、３３ａから楽音が放音される。前述したように、これらの前面２３ａ、３３ａは前方に露出しているので、そこから放音された楽音は、他の構成部品に妨げられることなく、前方の演奏者に直接、到達し、演奏音として聞き取られる。
【００３２】
以上のように、本実施形態の電子ピアノ１によれば、響板２３、３３から放音された楽音が、本体ケース２などを介さずに、演奏者に直接、到達するので、より明瞭な演奏音が得られるとともに、鍵のタッチ感と演奏音との関係を、アコースティックなグランドピアノに近づけることができ、グランドピアノにより近い良好な演奏感覚を得ることができる。
【００３３】
また、アクチュエータ２５、３５により響板２３、３３を振動させ、その全体から楽音を発生させるので、従来のようなコーンスピーカを用いる場合と比較して、アコースティックピアノにより近似した広がりのある良質な楽音を発生させることができ、グランドピアノにさらに近い演奏感覚を得ることができる。
【００３４】
また、響板２３、３３の前面２３ａ、３３ａが本体ケース２の前方に露出し、演奏者側に向けられているので、より明瞭な演奏音を得ることができる。その結果、鍵のタッチ感と演奏音との関係を、グランドピアノにさらに近づけることができ、より良好な演奏感覚を得ることができる。
【００３５】
また、電子ピアノ１を壁面付近に設置したとしても、響板２３、３３が壁面から比較的遠くに配置されているので、楽音が外部に漏れ難くなり、騒音を抑制することができる。さらに、響棒２４、３４付きの響板２３、３３が露出しており、外部から見ることができるので、これらによって装飾的な効果を持たせることができる。
【００３６】
図３は、第２実施形態による電子ピアノを示している。この電子ピアノ４１は、前述した第１実施形態の電子ピアノ１よりも小型に構成されており、基本的には、ピアノ本体１１よりも上側の構成部品を省略したものである。電子ピアノ４１は、ピアノ本体４２および響板スピーカ５１などを有している。
【００３７】
ピアノ本体４２は、前述した第１実施形態のピアノ本体１１と同様に構成されており、左右の腕木４４、４４と、これらの間に配置された鍵盤装置１５および天板４５などを有している。また、各腕木４４から、脚４３が下方に延びており、両脚４３、４３の下端部間には、３つのペダル５ａを有するペダル土台５が設けられている。
【００３８】
響板スピーカ５１は、ピアノ本体４２、ペダル土台５および左右の脚部４３、４３で囲まれた空間の前端部に配置されている。この響板スピーカ５１は、第１実施形態の下側の響板スピーカ３１と基本的に同様に構成されており、打ち廻し５２と、前面５３ａ（主面）が前方に露出した響板５３と、前面５３ａに貼り付けられた複数の響棒５４と、響板５３の背面の所定位置に取り付けられた１つのアクチュエータ（図示せず）を備えている。
【００３９】
以上のように、本実施形態の電子ピアノ４１によれば、響板スピーカ５１を用いるとともに、響板５３の前面５３ａが前方に露出しているので、押鍵に伴って振動する響板５３の前面５３ａから、演奏者に楽音が直接、到達する。したがって、第１実施形態による電子ピアノ１と同様の効果を得ることができる。
【００４０】
図４および図５は、第３実施形態による電子ピアノを示している。この電子ピアノ６１は、グランド型の本体ケース６２と、鍵盤装置６８と、本体ケース６２に設けられた２つの響板スピーカ７１、８１などを有している。
【００４１】
本体ケース６２は、電子ピアノ６１の外郭を構成する所定の形状の側板６３を有しており、その底部には、本体ケース６２を下方から覆うように棚板６４が設けられている。また、棚板６４の下面には、本体ケース６２を支持する３本の脚６５が設けられている。また、本体ケース６２の下方には、３つのペダル６７ａを有するペダル組立て品６７が設けられている。
【００４２】
本体ケース６２には、水平な大屋根前６６が設けられている。また、大屋根前６６の後方には、響板スピーカ８１が設けられている。この響板スピーカ８１の水平な響板８３と大屋根前６６によって、大屋根が構成されており、両者６６、８３は、本体ケース６２を上方から覆うように設けられ、本体ケース６２を閉じている。
【００４３】
響板スピーカ８１は、第１実施形態の響板スピーカ２１などと同様、打ち廻し８２、響板８３、複数の響棒８４およびアクチュエータ８５（振動子）などを有している。打ち廻し８２は、大屋根前６６の後端面および側板６３の上面に沿って延びている。響板８３は、側板６３の平面形状に合致する所定の形状を有し、その上面８３ａ（主面）の外縁部が打ち廻し８２の下面に貼り付けられており、上面８３ａが本体ケース６２の上方に露出している。また、複数の響棒８４は響板８３の上面８３ａに貼り付けられ、アクチュエータ８５は、響板８３の下面８３ｂの所定位置に取り付けられている。
【００４４】
鍵盤装置６８は、棚板６４の前端部に載置されており、第１および第２実施形態の鍵盤装置１５と同様に構成されている。響板スピーカ７１は、鍵盤装置６８、大屋根前６６、および側板６３の前部によって囲まれた空間に配置されており、その全体にわたって左右方向に延びている。この響板スピーカ７１もまた、前述した響板スピーカ２１などと同様に構成されており、打ち廻し７２と、前面７３ａ（主面）が前方に露出した響板７３と、前面７３ａに貼り付けられた複数の響棒７４と、響板７３の背面７３ｂの所定位置に取り付けられたアクチュエータ７５（振動子）を有している。
【００４５】
以上のように、本実施形態の電子ピアノ６１によれば、響板７３、８３から放音された楽音が、本体ケース６２などを介さずに演奏者に直接、到達するので、鍵のタッチ感と演奏音との関係を、アコースティックなグランドピアノに近づけることができ、良好な演奏感覚を得ることができる。また、アクチュエータ７５、８５により、響板７３、８３を振動させ、それらの全体から楽音を発生させるので、アコースティックなグランドピアノにより近似した楽音を発生させることができ、より良好な演奏感覚を得ることができる。
【００４６】
また、本体ケース６２を閉じる大屋根の一部が響板８３で構成されており、このように、演奏者と響板８３との位置関係がアコースティックなグランドピアノとほぼ同じになるように、響板８３が配置されているので、鍵のタッチ感と演奏音との関係を、グランドピアノにさらに近づけることができ、さらに良好な演奏感覚を得ることができる。
【００４７】
なお、本発明は、説明した第１〜第３実施形態に限定されることなく、種々の態様で実施することができる。例えば、第１および第２実施形態は、響板スピーカ２１などを、本体ケースの前端部に配置し、響板２３などの前面を前方に露出させた例であるが、これに限定されることなく、例えば、屋根板７、左右の親板４、４や天板４５など、本体ケースの他の部分に配置してもよい。
【００４８】
また、第３実施形態では、大屋根の一部として響板８３を設けているが、これに限定されることなく、例えば、大屋根前を含む大屋根の全体を響板で構成してもよい。また、アコースティックなグランドピアノと同様に、本体ケース６２内に響板スピーカを設けるとともに、本体ケース６２を開閉する大屋根後を別個に設けてもよい。
【００４９】
また、各実施形態では、響板を本体ケースの外部に露出させているが、例えば、スピーカネットなどを設け、響板を覆ってもよい。また、各実施形態は、響棒を響板の前面または上面に設けた例であるが、背面や下面に設けることにより、本体ケースの外部に露出しないようにしてもよい。さらに、各実施形態は、本発明を電子ピアノに適用した例であるが、例えば電子オルガンなどの他の電子鍵盤楽器に適用してもよい。その他、細部の構成を、本発明の趣旨の範囲内で適宜、変更することが可能である。
【図面の簡単な説明】
【００５０】
【図１】本発明の第１実施形態によるアップライト型の電子ピアノを示す斜視図である。
【図２】図１の線Ａ−Ａに沿う断面図である。
【図３】図２実施形態による電子ピアノを示す斜視図である。
【図４】第３実施形態によるグランド型の電子ピアノを示す斜視図である。
【図５】図４の線Ｂ−Ｂに沿う断面図である。
【符号の説明】
【００５１】
１    電子ピアノ（電子鍵盤楽器）
２    本体ケース
２３    響板
２３ａ  前面（主面）
２５    アクチュエータ（振動子）
３３    響板
３３ａ  前面（主面）
３５    アクチュエータ（振動子）
４１    電子ピアノ（電子鍵盤楽器）
５３    響板
５３ａ  前面（主面）
６１    電子ピアノ（電子鍵盤楽器）
６２    本体ケース
６４    棚板
７３    響板
７３ａ  前面（主面）
７５    アクチュエータ（振動子）
８３    響板
８３ａ  上面（主面）
８５    アクチュエータ（振動子）
【図１】
2008241760.tif 000003
【図２】
2008241760.tif 000004
【図３】
2008241760.tif 000005
【図４】
2008241760.tif 000006
【図５】
2008241760.tif 000007